(57)【要約】【課題】この発明は、ネットワーク接続されたデジタル記録機器を自動登録するようにして、ユーザ設定を軽減することを可能とした信号処理装置及びその制御方法を提供することを目的としている。【解決手段】ネットワークに接続されたデジタル記録機器２５，２７を登録するための所定のトリガが与えられたことを検出する手段６１と、所定のトリガが与えられたとき、ネットワークに接続されたデジタル記録機器２５，２７を検索する手段６１と、検索されたデジタル記録機器２５，２７を登録する手段６１とを備える。【選択図】      図２
2006072815.tif 000002
【特許請求の範囲】
【請求項１】
ネットワークに接続するための接続手段と、
前記ネットワークに接続されたデジタル記録機器を登録するための所定のトリガが与えられたことを検出するトリガ検出手段と、
前記トリガ検出手段が前記所定のトリガが与えられたことを検出したとき、前記接続手段を介して、前記ネットワークに接続されたデジタル記録機器を検索する機器検索手段と、
前記機器検索手段で検索されたデジタル記録機器を登録する機器登録手段と、
前記機器登録手段で登録されたデジタル記録機器に対して記録または再生を行なわせる制御手段とを具備することを特徴とする信号処理装置。
【請求項２】
前記トリガ検出手段は、電源をオンしたこと、前記デジタル記録機器を登録するための設定メニューを起動したこと、前記デジタル記録機器に対して再生動作または記録動作の実行を要求したことの少なくとも１つを前記トリガとして検出することを特徴とする請求項１記載の信号処理装置。
【請求項３】
前記接続手段は、
前記デジタル記録機器を専用に接続するために設定された第１の接続端子と、
前記デジタル記録機器以外の機器も接続可能に設定された第２の接続端子とを備えることを特徴とする請求項１または２記載の信号処理装置。
【請求項４】
前記機器検索手段は、前記第１及び第２の接続端子に対して、前記デジタル記録機器を検索することを特徴とする請求項３記載の信号処理装置。
【請求項５】
前記機器検索手段は、前記第１の接続端子に対してのみ、前記デジタル記録機器を検索することを特徴とする請求項３記載の信号処理装置。
【請求項６】
前記機器検索手段で検索されたデジタル記録機器から共有フォルダを検索する共有フォルダ検索手段を備え、
前記登録手段は、前記共有フォルダ検索手段で検索された共有フォルダを登録することを特徴とする請求項１乃至５いずれかに記載の信号処理装置。
【請求項７】
前記共有フォルダ検索手段は、guestユーザ用の共有フォルダを検索することを特徴とする請求項６記載の信号処理装置。
【請求項８】
前記登録手段は、予め設定された登録最大数までの登録を可能とすることを特徴とする請求項１乃至７いずれかに記載の信号処理装置。
【請求項９】
前記デジタル記録機器はネットワーク接続型であることを特徴とする請求項１乃至８いずれかに記載の信号処理装置。
【請求項１０】
前記デジタル記録機器はＮＡＳであることを特徴とする請求項１乃至９いずれかに記載の信号処理装置。
【請求項１１】
ネットワークに接続するための接続手段を備えた信号処理装置に対して、
前記ネットワークに接続されたデジタル記録機器を登録するための所定のトリガが与えられたことを検出する工程と、
前記所定のトリガが検出されたとき、前記接続手段を介して、前記ネットワークに接続されたデジタル記録機器を検索する工程と、
検索された前記デジタル記録機器を登録する工程と、
登録された前記デジタル記録機器に対して記録または再生を行なわせる工程とを具備することを特徴とする信号処理装置の制御方法。
【請求項１２】
ネットワークに接続するための接続手段を備えた信号処理装置に対して、
前記ネットワークに接続されたデジタル記録機器を登録するための所定のトリガが与えられたことを検出する工程と、
前記所定のトリガが検出されたとき、前記接続手段を介して、前記ネットワークに接続されたデジタル記録機器を検索する工程と、
検索された前記デジタル記録機器から共有フォルダを検索する工程と、
検索された前記デジタル記録機器及び共有フォルダを登録する工程と、
登録された前記デジタル記録機器の共有フォルダに対して記録または再生を行なわせる工程とを具備することを特徴とする信号処理装置の制御方法。
【発明の詳細な説明】
【技術分野】
【０００１】
この発明は、入力信号から映像信号及び音声信号等を復元する信号処理装置及びその制御方法に係り、特に外部に記録機器を接続して制御可能としたものの改良に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
ところで、このように、複数のデジタル記録機器をネットワーク接続可能としたデジタル放送受信装置においては、ユーザが煩雑な操作を行なうことなく、ネットワーク接続されたデジタル記録機器を容易に登録して自由に利用可能とすることが重要となる。
【０００６】
特許文献１には、電源オンを契機としてチャネルアダプタ４０，４１及びディスクアダプタ６０，６１に搭載されるマイクロプロセッサが初期設定動作を行なうようにした情報処理装置及びその設定方法が開示されている。
【０００７】
また、特許文献２には、ストレージシステム内のデータを格納するストレージデバイスを他の装置から使用可能とする場合のストレージシステム及びストレージシステムの管理方法が開示されている。
【特許文献１】特開２００４−１２６９６３号公報
【特許文献２】特開２００３−９１４４９号公報
【発明の開示】
【発明が解決しようとする課題】
【０００８】
そこで、この発明は上記事情を考慮してなされたもので、ネットワーク接続されたデジタル記録機器を自動登録するようにして、ユーザ設定を軽減することを可能とした信号処理装置及びその制御方法を提供することを目的とする。
【課題を解決するための手段】
【０００９】
この発明に係る信号処理装置は、ネットワークに接続するための接続手段と、ネットワークに接続されたデジタル記録機器を登録するための所定のトリガが与えられたことを検出するトリガ検出手段と、トリガ検出手段が所定のトリガが与えられたことを検出したとき、接続手段を介して、ネットワークに接続されたデジタル記録機器を検索する機器検索手段と、機器検索手段で検索されたデジタル記録機器を登録する機器登録手段と、機器登録手段で登録されたデジタル記録機器に対して記録または再生を行なわせる制御手段とを備えるようにしたものである。
【００１０】
また、この発明に係る信号処理装置の制御方法は、ネットワークに接続するための接続手段を備えた信号処理装置を対象としている。そして、ネットワークに接続されたデジタル記録機器を登録するための所定のトリガが与えられたことを検出する工程と、所定のトリガが検出されたとき、接続手段を介して、ネットワークに接続されたデジタル記録機器を検索する工程と、検索されたデジタル記録機器を登録する工程と、登録されたデジタル記録機器に対して記録または再生を行なわせる工程とを備えるようにしたものである。
【発明の効果】
【００１１】
上記した発明によれば、所定のトリガが与えられたとき、自動的にネットワークに接続されたデジタル記録機器を検索して登録するようにしたので、ユーザ設定を軽減することが可能となる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が、上記した第１及び第２のＬＡＮ端子２１，２２に接続された、ネットワーク接続型のデジタル記録機器であるＮＡＳ（図１の場合、ＨＤＤ２５，２７）を自動的に検索して登録する動作を説明するためのフローチャートを示している。
【００４５】
この動作が開始（ステップＳ４ａ）されると、制御部６１は、ステップＳ４ｂで、ＮＡＳ自動登録を実行するための所定のトリガが与えられたことを検出する。ＮＡＳ自動登録を実行するために与えられる所定のトリガとしては、例えば、デジタルテレビジョン放送受信装置１１の電源をオンしたこと（リモートコントローラ１７の電源キー１７ａを操作したこと）、ＮＡＳを登録するための設定メニューを起動したこと、第１及び第２のＬＡＮ端子２１，２２に接続されたＮＡＳに対して再生動作または記録動作の実行を要求したこと、等々がある。
【００４６】
そして、制御部６１は、ステップＳ４ｃで、第１及び第２のＬＡＮ端子２１，２２に対してＮＡＳの検索を行なった後、ステップＳ４ｄで、ＮＡＳが存在しているか否かを判別し、存在していないと判断された場合（ＮＯ）、処理を終了（ステップＳ４ｇ）する。
【００４７】
また、ステップＳ４ｄでＮＡＳが存在していると判断された場合（ＹＥＳ）、制御部６１は、ステップＳ４ｅで、登録最大数を超過したか否かを判別し、超過したと判断された場合（ＹＥＳ）、処理を終了（ステップＳ４ｇ）する。
【００４８】
一方、ステップＳ４ｅで登録最大数を超過していないと判断された場合（ＮＯ）、制御部６１は、ステップＳ４ｆで、存在の検出されたＮＡＳを不揮発性メモリ６４に登録して、処理を終了（ステップＳ４ｇ）する。
【００４９】
この動作によれば、ＮＡＳ自動登録を実行するための所定のトリガが与えられたとき、自動的に第１及び第２のＬＡＮ端子２１，２２に対してＮＡＳの検索を行ない、ＮＡＳが存在している場合登録を行なうようにしている。このため、ユーザが設定メニューを開いて、ネットワーク上からＮＡＳを検索して登録する必要がなくなり、ユーザ設定を軽減することが可能となる。
【００５０】
そして、このように登録されたＮＡＳに対して、デジタルテレビジョン放送受信装置１１は、例えば、受信したテレビジョン放送番組、第１のメモリカード１９やデジタルカメラ３７等に保存された、ＪＰＥＧ（Joint Photographic Experts Group）規格に準拠した形態で符号化されているデジタル映像信号（写真）等を記録させるように制御することができる。
【００５１】
図５は、デジタルテレビジョン放送受信装置１１が、第１のＬＡＮ端子２１［この実施の形態で説明するデジタルテレビジョン放送受信装置１１では、ＨＤＤ専用ポートとして使用されるが、ＮＡＳのみが接続されるＮＡＳ専用ポートとして使用してもよい］に接続されたＮＡＳ（図１の場合、ＨＤＤ２５）を自動登録する動作を説明するためのフローチャートを示している。
【００５２】
この動作が開始（ステップＳ５ａ）されると、制御部６１は、ステップＳ５ｂで、ＮＡＳ自動登録を実行するための所定のトリガが与えられたことを検出する。ＮＡＳ自動登録を実行するために与えられる所定のトリガとしては、例えば、デジタルテレビジョン放送受信装置１１の電源をオンしたこと（リモートコントローラ１７の電源キー１７ａを操作したこと）、ＮＡＳを登録するための設定メニューを起動したこと、第１のＬＡＮ端子２１（ＮＡＳ専用ポート）に接続されたＮＡＳに対して再生動作または記録動作の実行を要求したこと、等々がある。
【００５３】
そして、制御部６１は、ステップＳ５ｃで、第１のＬＡＮ端子２１に対してＮＡＳの検索を行なった後、ステップＳ５ｄで、ＮＡＳが存在しているか否かを判別し、存在していないと判断された場合（ＮＯ）、処理を終了（ステップＳ５ｇ）する。
【００５４】
また、ステップＳ５ｄでＮＡＳが存在していると判断された場合（ＹＥＳ）、制御部６１は、ステップＳ５ｅで、登録最大数を超過したか否かを判別し、超過したと判断された場合（ＹＥＳ）、処理を終了（ステップＳ５ｇ）する。
【００５５】
一方、ステップＳ５ｅで登録最大数を超過していないと判断された場合（ＮＯ）、制御部６１は、ステップＳ５ｆで、存在の検出されたＮＡＳを不揮発性メモリ６４に登録して、処理を終了（ステップＳ５ｇ）する。
【００５６】
この動作によれば、ＮＡＳ自動登録を実行するための所定のトリガが与えられたとき、自動的に第１のＬＡＮ端子２１に対してＮＡＳの検索を行ない、ＮＡＳが存在している場合登録を行なうようにしている。このため、ユーザが設定メニューを開いて、ネットワーク上からＮＡＳを検索して登録する必要がなくなり、ユーザ設定を軽減することが可能となる。
【００５７】
図６は、ＮＡＳ内におけるディレクトリ構造の一例を示している。このディレクトリ構造は、階層化形態となっており、階層の最上位にあるルートディレクトリ（ＲＯＯＴ）の下に複数（図示の場合は２つ）の共有フォルダが作成されている。
【００５８】
この場合、共有フォルダには、ネットワークを介して不特定多数のユーザが使用可能となるguestユーザ用の共有フォルダと、パスワードを入力したユーザのみしか使用することのできない共有フォルダとがある。
【００５９】
図７は、第１及び第２のＬＡＮ端子２１，２２に接続されたＮＡＳを自動登録する際、検索されたＮＡＳにguestユーザ用の共有フォルダが存在する場合に、その共有フォルダを自動登録するようにした動作を説明するためのフローチャートを示している。
【００６０】
この動作が開始（ステップＳ７ａ）されると、制御部６１は、ステップＳ７ｂで、ＮＡＳ自動登録を実行するための所定のトリガが与えられたことを検出する。このトリガとしては、図４のフローチャートで説明したものと同じである。
【００６１】
そして、制御部６１は、ステップＳ７ｃで、第１及び第２のＬＡＮ端子２１，２２に対してＮＡＳの検索を行なった後、ステップＳ７ｄで、ＮＡＳが存在しているか否かを判別し、存在していないと判断された場合（ＮＯ）、処理を終了（ステップＳ７ｉ）する。
【００６２】
また、ステップＳ７ｄでＮＡＳが存在していると判断された場合（ＹＥＳ）、制御部６１は、ステップＳ７ｅで、存在の検出されたＮＡＳからguestユーザ用の共有フォルダを検索した後、ステップＳ７ｆで、guestユーザ用の共有フォルダＮＡＳが存在しているか否かを判別し、存在していないと判断された場合（ＮＯ）、処理を終了（ステップＳ７ｉ）する。
【００６３】
一方、ステップＳ７ｆでguestユーザ用の共有フォルダＮＡＳが存在していると判断された場合（ＹＥＳ）、制御部６１は、ステップＳ７ｇで、登録最大数を超過したか否かを判別し、超過したと判断された場合（ＹＥＳ）、処理を終了（ステップＳ７ｉ）する。
【００６４】
また、ステップＳ７ｇで登録最大数を超過していないと判断された場合（ＮＯ）、制御部６１は、ステップＳ７ｈで、存在の検出されたＮＡＳとその中のguestユーザ用の共有フォルダとを不揮発性メモリ６４に登録して、処理を終了（ステップＳ７ｉ）する。
【００６５】
この動作によれば、ＮＡＳとその中のguestユーザ用の共有フォルダとを自動登録するようにしたので、デジタルテレビジョン放送受信装置１１のユーザは、ＮＡＳの共有フォルダに情報を記録して管理することができるので、ユーザにとっての取り扱いをより一層便利にすることができる。
【００６６】
図８は、第１のＬＡＮ端子２１（ＮＡＳ専用ポート）に接続されたＮＡＳを自動登録する際、検索されたＮＡＳにguestユーザ用の共有フォルダが存在する場合に、その共有フォルダを自動登録するようにした動作を説明するためのフローチャートを示している。
【００６７】
この動作が開始（ステップＳ８ａ）されると、制御部６１は、ステップＳ８ｂで、ＮＡＳ自動登録を実行するため野所定のトリガが与えられたことを検出する。このトリガとしては、図５のフローチャートで説明したものと同じである。
【００６８】
そして、制御部６１は、ステップＳ８ｃで、第１のＬＡＮ端子２１に対してＮＡＳの検索を行なった後、ステップＳ８ｄで、ＮＡＳが存在しているか否かを判別し、存在していないと判断された場合（ＮＯ）、処理を終了（ステップＳ８ｉ）する。
【００６９】
また、ステップＳ８ｄでＮＡＳが存在していると判断された場合（ＹＥＳ）、制御部６１は、ステップＳ８ｅで、存在の検出されたＮＡＳからguestユーザ用の共有フォルダを検索した後、ステップＳ８ｆで、guestユーザ用の共有フォルダＮＡＳが存在しているか否かを判別し、存在していないと判断された場合（ＮＯ）、処理を終了（ステップＳ８ｉ）する。
【００７０】
一方、ステップＳ８ｆでguestユーザ用の共有フォルダＮＡＳが存在していると判断された場合（ＹＥＳ）、制御部６１は、ステップＳ８ｇで、登録最大数を超過したか否かを判別し、超過したと判断された場合（ＹＥＳ）、処理を終了（ステップＳ８ｉ）する。
【００７１】
また、ステップＳ８ｇで登録最大数を超過していないと判断された場合（ＮＯ）、制御部６１は、ステップＳ８ｈで、存在の検出されたＮＡＳとその中のguestユーザ用の共有フォルダとを不揮発性メモリ６４に登録して、処理を終了（ステップＳ８ｉ）する。
【００７２】
この動作によれば、ＮＡＳとその中のguestユーザ用の共有フォルダとを自動登録するようにしたので、デジタルテレビジョン放送受信装置１１のユーザは、ＮＡＳの共有フォルダに情報を記録して管理することができるので、ユーザにとっての取り扱いをより一層便利にすることができる。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７４】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がＬＡＮに接続されたＮＡＳを自動登録する動作を説明するために示すフローチャート。
【図５】同実施の形態におけるデジタルテレビジョン放送受信装置がＬＡＮのＮＡＳ専用ポートに接続されたＮＡＳを自動登録する動作を説明するために示すフローチャート。
【図６】同実施の形態におけるＮＡＳ内のディレクトリ構造の一例を説明するために示す図。
【図７】同実施の形態におけるデジタルテレビジョン放送受信装置がＬＡＮに接続されたＮＡＳの共有フォルダを自動登録する動作を説明するために示すフローチャート。
【図８】同実施の形態におけるデジタルテレビジョン放送受信装置がＬＡＮのＮＡＳ専用ポートに接続されたＮＡＳの共有フォルダを自動登録する動作を説明するために示すフローチャート。
【符号の説明】
【００７５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006072815.tif 000003
【図２】
2006072815.tif 000004
【図３】
2006072815.tif 000005
【図４】
2006072815.tif 000006
【図５】
2006072815.tif 000007
【図６】
2006072815.tif 000008
【図７】
2006072815.tif 000009
【図８】
2006072815.tif 000010